(57)【要約】【課題】容器を開封するために、キャップを螺脱回転方向へ回転したときに、不正開封防止環がキャップから確実に分離する不正開封防止付口栓を提供する。【解決手段】スパウト１００  の注出筒１１０  の下端部外周面に設ける複数個のラチェット１２２  のうち、パーティングラインＰＬに垂直嵌合面を面して対向する２個のラチェットとこの２個のラチェットのキャップの螺着回転方向の次に位置する２個のラチェットのキャップの螺着回転方向側の垂直嵌合面の外周側先端部に、板状嵌合部１２５  をキャップの螺着回転方向へ延設し、キャップ２００  の不正開封防止環２３０  の内周面に設ける全てのラチェットのキャップの螺脱回転方向側の垂直嵌合面の内周側先端部に、キャップを螺脱回転方向へ回転したときにスパウトのラチェットの板状嵌合部と嵌合する板状嵌合部２３４  をキャップの螺脱回転方向へ延設する。【選択図】図１
2004189271.tif 000002
【特許請求の範囲】
【請求項１】
液体用紙容器の注出位置に取り付けられるスパウトとこのスパウトに螺着するキャップとからなり、前記スパウトの注出筒の下端部外周面に、水平断面形状がキャップの螺着回転方向の外側へ傾斜滑面をもち螺着回転方向側に垂直嵌合面をもつ直角三角形の複数個のラチェットを周方向へ形成し、前記キャップの周壁の下端面に、周方向へ等間隔に設ける複数個の易破断連結部を介して、キャップを螺脱方向へ回転したときに前記スパウトのラチェットと嵌合する水平断面形状がキャップの螺脱回転方向の内側へ傾斜滑面をもち螺脱回転方向側に垂直嵌合面をもつ直角三角形の複数個のラチェットを内周面の周方向へ等間隔に形成する不正開封防止環を接続した不正開封防止付口栓であって、前記スパウトの注出筒の下端部外周面に設ける複数個のラチェットのうち、パーティングラインに垂直嵌合面を面して対向する２個のラチェットと該２個のラチェットのキャップの螺着回転方向の次に位置する２個のラチェットのキャップの螺着回転方向側の垂直嵌合面の外周側先端部にそれぞれ板状嵌合部をキャップの螺着回転方向へ延設し、かつ前記キャップの不正開封防止環の内周面に設ける全てのラチェットのキャップの螺脱回転方向側の垂直嵌合面の内周側先端部に、キャップを螺脱回転方向へ回転したときに前記スパウトのラチェットの板状嵌合部と嵌合する板状嵌合部をキャップの螺脱回転方向へ延設したことを特徴とする不正開封防止付口栓。
【発明の詳細な説明】
【０００１】
【発明の属する技術分野】
本発明は、清酒、果汁飲料、調味料などに使用される液体用紙容器の注出位置に突設される不正開封防止付口栓に関するものである。
【０００２】
【従来の技術】
従来、食品などの液体内容物に使用される液体用紙容器には、例えば、図６に示すように、胴部（２１）が四角柱状で、切り妻屋根形の頂部傾斜板（２２）にスパウト（１００）とキャップ（２００）とからなる口栓（１０）を突設した液体用紙容器（２０）が、広い用途範囲にわたって使用されていた。この口栓は、容器の注出位置に熱融着されて突設するスパウトの注出筒にキャップが螺着したものであるが、通常では、流通時の密封性の完全さやバージン性を確保、または、使用時の便利性の易開封性を兼ね備えるために、スパウトの注出筒の下方内側に封鎖板を設けて封止し、使用時に開口するため、上面の開口予定位置に環状薄肉脆弱線を形成し、この環状薄肉脆弱線の内側近傍の上面の所定位置側に、先端にプルリングをもつ支柱を立設したものが使用されていた。このプルリング付口栓は、開口するときは、キャップを取り外し、スパウトの注出筒の内側に収容されているプルリングに指先を掛けて上方へ引っ張って、封鎖板の環状薄肉脆弱線を引き裂いて開口していた。なお、開口したスパウトは、使用したのちに、キャップを注出筒に螺合して装着して再封止していた。
【０００３】
【発明が解決しようとする課題】
ところで、上述の従来の液体用紙容器の口栓は、不正開封防止機能が付いてなく、流通過程で誤って又は故意に開封されても、商品の外観からは判断することが難しく、商品のバージン性が損なわれたり、また、商品の内容物に悪影響を及ぼすことがあった。
【０００４】
市場の店頭においての商品の不正開封防止としては、口栓ではないが、不正開封防止付プラスチックキャップがある。この代表的な構造は、容器の口頸部の外周面に形成した雄ねじと螺合する雌ねじを内周面に形成したキャップの裾部に、容器の口頸部の下部に形成したラチェットとキャップの螺脱時に嵌合するラチェットを内周面に形成した不正開封防止環を易破断連結部で部分的に連結したものである（例えば、特許文献１参照）。
【０００５】
【特許文献１】特開昭５４−６４６４９号公報
【０００６】
しかしながら、上述の不正開封防止構造を口栓にそのまま適用すると、口栓のの材質は一般的に柔らかく、特にプルリング付スパウトでは封鎖板の環状薄肉脆弱線を破断し易くするため柔らかい材質が使用されているため、容器の開封時にキャップを螺脱回転方向へ回転したときに、キャップの不正開封防止環が外側に膨らんで、不正開封防止環の内周面に形成されたラチェットが、容器の口頸部の下部に形成されたラチェットを乗り越えてしまい、易破断連結部が破断されずに、不正開封防止環がキャップから分離せずに共回りしてしまうことがあった。
【０００７】
本発明は、上述の従来の問題を解決したものであり、容器を開封するために、キャップを螺脱回転方向へ回転したときに、不正開封防止環がキャップから確実に分離する不正開封防止付口栓を提供するものである。
【０００８】
【課題を解決するための手段】
本発明の発明は、液体用紙容器の注出位置に取り付けられるスパウトとこのスパウトに螺着するキャップとからなり、前記スパウトの注出筒の下端部外周面に、水平断面形状がキャップの螺着回転方向の外側へ傾斜滑面をもち螺着回転方向側に垂直嵌合面をもつ直角三角形の複数個のラチェットを周方向へ形成し、前記キャップの周壁の下端面に、周方向へ等間隔に設ける複数個の易破断連結部を介して、キャップを螺脱方向へ回転したときに前記スパウトのラチェットと嵌合する水平断面形状がキャップの螺脱回転方向の内側へ傾斜滑面をもち螺脱回転方向側に垂直嵌合面をもつ直角三角形の複数個のラチェットを内周面の周方向へ等間隔に形成する不正開封防止環を接続した不正開封防止付口栓であって、前記スパウトの注出筒の下端部外周面に設ける複数個のラチェットのうち、パーティングラインに垂直嵌合面を面して対向する２個のラチェットとこの２個のラチェットのキャップの螺着回転方向の次に位置する２個のラチェットのキャップの螺着回転方向側の垂直嵌合面の外周側先端部にそれぞれ板状嵌合部をキャップの螺着回転方向へ延設し、かつ前記キャップの不正開封防止環の内周面に設ける全てのラチェットのキャップの螺脱回転方向側の垂直嵌合面の内周側先端部に、キャップを螺脱回転方向へ回転したときに前記スパウトのラチェットの板状嵌合部と嵌合する板状嵌合部をキャップの螺脱回転方向へ延設したことを特徴とする不正開封防止付口栓である。
【０００９】
【作用】
本発明の不正開封防止付口栓は、キャップをスパウトの注出筒に螺合させて螺着するときには、キャップの周壁の下端面に複数個の易破断連結部を介して接続する不正開封防止環は、内周面に設けられたラチェットの傾斜滑面をスパウトの注出筒の下端部外周面に設けられているラチェットの傾斜滑面に摺接させながら乗り越えるため、キャップがスパウトに装着される。スパウトの注出筒に装着するキャップを螺脱回転方向へ回転させて螺脱するときには、図５に示すように、スパウトの注出筒（１２０）の下端部外周面に設けられているラチェット（１２２）の垂直嵌合面（１２４）に、キャップの不正開封防止環（２３０）の内周面に設けられたラチェット（２３１）の垂直嵌合面（２３３）の内周側先端部に設けられている板状嵌合部（２３４）の先端面が当接し、かつ図１（ｂ）に示すスパウト（１００）の注出筒（１２０）の下端部外周面に設けられた板状嵌合部（１２５）を垂直嵌合面（１２４）の外周側先端部にもつ４個のラチェット（１２２）の板状嵌合部（１２５）が、図５に示すように、キャップのラチェット（２３１）の板状嵌合部（２３４）としっかりと嵌合し合うため、不正開封防止環のラチェットがスパウトのラチェットを乗り越えることがなく、キャップの不正開封防止環がスパウトにしっかり固定されるため、キャップの周壁と不正開封防止環を接続する易破断連結部が確実に破断されて、不正開封防止環がキャップの周壁から分離する。易破断連結部が破断されていることは、外観から容易に認識でき、キャップが開封されていることが確認できる。
【００１０】
【発明の実施の形態】
次に、本発明の不正開封防止付口栓の実施の形態について、図を用いて詳細に説明する。
図１（ａ）は、本発明の不正開封防止付口栓の一実施形態のキャップの底面図であり、図１（ｂ）は、スパウトの図２に示すＡ−Ａ’線断面図である。図２は、一実施形態のスパウトの正面図であり、図３は、そのスパウトの内側構造を示す部分断面図である。図４は、一実施形態のキャップの断面図であり、図５は、一実施形態のスパウトのラチェットと不正開封防止環のラチェットとの嵌合状態を示す説明図である。図６は、一例の口栓を頂部に突設する液体用紙容器の斜視図である。
【００１１】
本発明の不正開封防止付口栓は、液体用紙容器の注出位置に取り付けられるスパウトとこのスパウトに螺着するキャップとからなる。スパウトは、液体用紙容器の注出位置に、注出筒を突設させて超音波シール法などの溶着法により取り付けるものである。スパウトやキャップは、破断される部分があるため、通常、低密度ポリエチレンや直鎖状低密度ポリエチレンなどの比較的に軟性の熱可塑性樹脂を用いて射出成形法により作製されものである。
【００１２】
本実施形態の不正開封防止付口栓のスパウト（１００）は、図２に示すように、下端外周面に容器との溶着リング（１３０）をもつ環状台座部（１１０）に、キャップとの雄ねじ（１２１）を外周面にもつ注出筒（１２０）を立設し、図３に示すように、この注出筒（１２０）の内側下方に、封鎖板（１４０）を設けて封止し、この封鎖板の開口予定位置の下面に断面逆Ｖ字状の環状切込み（１４１）を設けて、その上面側に環状薄肉脆弱線（１４２）を形成し、この環状薄肉脆弱線の内側近傍の上面の一側に、先端にプルリング（１４４）をもつ支柱（１４３）を立設するものであり、図１（ｂ）に示すように、注出筒（１２０）の下端部外周面に、水平断面形状がキャップの螺着回転方向の外側へ傾斜滑面（１２３）をもち螺着回転方向側に垂直嵌合面（１２４）をもつ直角三角形の複数個のラチェット（１２２）を周方向へ形成し、これら複数個のラチェットのうち、パーティングライン（ＰＬ）（金型の分割面）に垂直嵌合面（１２４）を面して対向する２個のラチェットとこの２個のラチェットのキャップの螺着回転方向の次に位置する２個のラチェットのキャップの螺着回転方向側の垂直嵌合面の外周側先端部にそれぞれ板状嵌合部（１２５）をキャップの螺着回転方向へ延設するものである。
【００１３】
また、キャップ（２００）は、図４に示すように、天板（２１０）と周壁（２２０）とからなり、天板の下面にスパウトを封止するインナー封止リング（２１１）（外周面をスパウトの注出筒の先端部内周面に密接）とコンタクト封止リング（２１２）（先端をスパウトの注出筒の天面に密接）を垂設し、周壁の内周面にスパウトとの雌ねじ（２２１）を設け、周壁の下端面に、周方向へ等間隔に設ける複数個の易破断連結部（２２２）を介して、キャップを螺脱方向へ回転したときにスパウトのラチェットと嵌合する図１（ａ）に示す水平断面形状がキャップの螺脱回転方向の内側へ傾斜滑面（２３２）をもち螺脱回転方向側に垂直嵌合面（２３３）をもつ直角三角形の複数個のラチェット（２３１）を内周面の周方向へ等間隔に形成する不正開封防止環（２３０）を接続し、この不正開封防止環の内周面に設ける全てのラチェットのキャップの螺脱回転方向側の垂直嵌合面の内周側先端部に、キャップを螺脱回転方向へ回転したときにスパウトのラチェットの板状嵌合部と嵌合する板状嵌合部（２３４）をキャップの螺脱回転方向へ延設するものである。なお、易破断連結部は、細幅で薄肉にして破断し易く形成するものである。
【００１４】
スパウトの注出筒にキャップを螺着した上述の本実施形態の不正開封防止付口栓は、キャップを取り外すために、キャップを螺脱回転方向へ回転したときに、キャップの周壁の下端に易破断連結部を介して接続する不正開封防止環の内周面に設けられたラチェットが、スパウトの周壁の下端部外周面に設けられたラチェットと嵌合し、不正開封防止環がスパウトに固定され、キャップをさらに螺脱回転方向へ回転すると、キャップの周壁の下端の易破断連結部が破断されてキャップと不正開封防止環が確実に分離した。この易破断連結部の破断状態は、キャップをスパウトに再度螺着しても容易に外観から確認できた。
【００１５】
【発明の効果】
本発明の不正開封防止付口栓は、スパウト及びキャップのラチェットに板状嵌合部が設けられており、この板状嵌合部の作用効果により、キャップを螺脱回転方向へ回転したときに、不正開封防止環がキャップから確実に分離する。
【００１６】
また、流通過程で誤って又は故意に開封されたことは、キャップの周壁下端と不正開封防止環を接続していた易破断連結部の破断状態から、容易に外観から確認できる。
【００１７】
なお、本発明の不正開封防止付口栓のラチェットの構造は、容器の口頸部の下端部にラチェットを形成し、キャップの周壁の下端に易破断連結部を介して接続する不正開封防止環の内周面に形成するラチェットの構造にも適用することができる。
【図面の簡単な説明】
【図１】（ａ）は、本発明の不正開封防止付口栓の一実施形態のキャップの底面図であり、（ｂ）は、スパウトの図２に示すＡ−Ａ’線断面図である。
【図２】本発明の不正開封防止付口栓の一実施形態のスパウトの正面図である。
【図３】図２に示すスパウトの部分断面図である。
【図４】本発明の不正開封防止付口栓の一実施形態のキャップの断面図である。
【図５】一実施形態の不正開封防止付口栓におけるスパウトのラチェットと不正開封防止環のラチェットとの嵌合状態を示す説明図である。
【図６】一例の口栓を頂部に突設する液体用紙容器の斜視図である。
【符号の説明】
１０……口栓
２０……液体用紙容器
２１……胴部
２２……頂部傾斜板
１００……スパウト
１１０……環状台座部
１２０……注出筒
１２１……雄ねじ
１２２，２３１……ラチェット
１２３，２３２……傾斜滑面
１２４，２３３……垂直嵌合面
１２５，２３４……板状嵌合部
１３０……溶着リング
１４０……封鎖板
１４１……環状切込み
１４２……環状薄肉脆弱線
１４３……支柱
１４４……プルリング
２００……キャップ
２１０……天板
２１１……インナー封止リング
２１２……コンタクト封止リング
２２０……周壁
２２１……雌ねじ
２２２……易破断連結部
２３０……不正開封防止環
【図１】
2004189271.tif 000003
【図２】
2004189271.tif 000004
【図３】
2004189271.tif 000005
【図４】
2004189271.tif 000006
【図５】
2004189271.tif 000007
【図６】
2004189271.tif 000008